(57)【要約】【課題】  発熱体の搭載用に大スペースを要することなく、軽量で操作性の優れたヘアーアイロンを提供する。【解決手段】  一対の挟持アーム７，９のそれぞれに設けられ相互に対向配置されて挟持動作で毛髪を矯正するための矯正体１１，１３と、前記矯正体１１，１３の矯正面８７を加熱するための発熱体と、を備える。前記発熱体は、薄板状の電気抵抗体１１１をポリイミド樹脂の絶縁被膜１１３で被覆したフィルムヒータ６９である。従って、発熱体の搭載用に大スペースを要することなく、設定温度に対する追従性及び軽量で操作性の優れたヘアーアイロンを得ることができる。【選択図】      図６
2011030946.tif 000002
【特許請求の範囲】
【請求項１】
一対の挟持アームのそれぞれに設けられ相互に対向配置されて挟持動作で毛髪を矯正するための矯正体と、
前記矯正体の矯正面を加熱するための発熱体と、
を備えたヘアーアイロンにおいて、
前記発熱体は、薄板状の電気抵抗体を絶縁被膜で被覆したフィルムヒータである、
ことを特徴とするヘアーアイロン。
【請求項２】
請求項１記載のヘアーアイロンであって、
前記電気抵抗体は、金属の薄板から所定形状の抵抗パターンを切り出して構成される、
ことを特徴とするヘアーアイロン。
【請求項３】
請求項２記載のヘアーアイロンであって、
前記金属は、ステンレスである、
ことを特徴とするヘアーアイロン。
【請求項４】
請求項１〜３のいずれか一項に記載のヘアーアイロンであって、
前記絶縁被膜は、ポリイミド樹脂である、
ことを特徴とするヘアーアイロン。
【請求項５】
請求項２〜４のいずれか一項に記載のヘアーアイロンであって、
前記電気抵抗体を複数並列接続した抵抗回路を備える、
ことを特徴とするヘアーアイロン。
【発明の詳細な説明】
【技術分野】
【０００１】
本発明は、毛髪にカールの癖付けを行う際に用いるヘアーアイロンに関する。
【背景技術】
【０００２】
従来のヘアーアイロンとしては、例えば特許文献１に示すものがある。このヘアーアイロンは、挟持アームの先端側に対向配置されて毛髪を加温しながら矯正面により狭持矯正するための一対の矯正体を備える。前記矯正体の双方を、他方側に対し所定範囲内で進退可能となるように各挟持アームに可動支持する。各挟持アームに、矯正体を進出付勢して矯正体相互による挟持状態を弾性的に調節可能な第２ばねを設ける。
【０００３】
特許文献１のヘアーアイロンによれば、アイロン掛けのムラをより的確に抑制することができる。
【０００４】
ところで、この種のヘアーアイロンには、矯正面を加熱するための発熱体が備えられている。この発熱体としては、例えば、フィルムヒータ、ＰＴＣヒータ、またはニクロム線ヒータなどが用いられる。
【０００５】
しかしながら、上記のような従来型のヒータを内蔵したヘアーアイロンでは、発熱体の搭載用に比較的大きいスペースを要すると共に重量がかさみがちであった。
【先行技術文献】
【特許文献】
【０００６】
【特許文献１】実開平１−９２９０２号
【発明の概要】
【発明が解決しようとする課題】
【０００７】
解決しようとする課題は、従来のヘアーアイロンでは、発熱体の搭載用に大スペースを要すると共に重量がかさむ点にある。
【課題を解決するための手段】
【０００８】
本発明は、発熱体の搭載用に大スペースを要することなく、軽量で操作性の優れたヘアーアイロンを提供することを目的とする。
【０００９】
上記目的を達成するために、本発明に係るヘアーアイロンは、一対の挟持アームのそれぞれに設けられ相互に対向配置されて挟持動作で毛髪を矯正するための矯正体と、前記矯正体の矯正面を加熱するための発熱体と、を備えたヘアーアイロンにおいて、前記発熱体は、薄板状の電気抵抗体を絶縁被膜で被覆したフィルムヒータである、ことを最も主要な特徴とする。
【発明の効果】
【００１０】
本発明に係るヘアーアイロンによれば、前記矯正体の矯正面を加熱するための発熱体は、薄板状の電気抵抗体を絶縁被膜で被覆したフィルムヒータであるため、発熱体の搭載用に大スペースを要することなく、軽量で操作性の優れたヘアーアイロンを得ることができる。
【図面の簡単な説明】
【００１１】
【図１】本発明の実施例に係るヘアーアイロンの斜視図である。
【図２】実施例に係るヘアーアイロンの分割部分を外した状態の平面図である。
【図３】実施例に係ヘアーアイロンの側面図である。
【図４】実施例に係るヘアーアイロンの平面図である。
【図５】実施例に係るヘアーアイロンの挟持アームを開いた状態の底面図である。
【図６】実施例に係るヘアーアイロンの図３のＶＩ−ＶＩ矢視拡大断面図である。
【図７】実施例に係るヘアーアイロンの分割部分を外した状態の先端側の要部拡大平面図である。
【図８】実施例に係るヘアーアイロンの矯正体の説明図であり、（Ａ）は矯正体本体の正面図、（Ｂ）は同背面図、（Ｃ）は同平面図、（Ｄ）は同断面図である。
【図９】実施例に係るヘアーアイロンの第１ばねの説明図であり、（Ａ）は第１ばねの平面図、（Ｂ）は同背面図である。
【図１０】実施例に係るヘアーアイロンの第２ばねの説明図であり、（Ａ）は第２ばねの平面図、（Ｂ）は同正面図、（Ｃ）は同側面図である。
【図１１】実施例に係るヘアーアイロンに装着されるフィルムヒータの説明図であり、（Ａ）はフィルムヒータの平面図、（Ｂ）はフィルムヒータの一構成要素である電気抵抗体の平面図、（Ｃ）はフィルムヒータの一構成要素である絶縁被膜の平面図である。
【図１２】実施例に係るヘアーアイロンに装着されるフィルムヒータの説明図であり、（Ａ）はフィルムヒータの側面図、（Ｂ）はフィルムヒータの一構成要素である電気抵抗体の実装回路図である。
【図１３】変形例に係るヘアーアイロンの、図６に対応する要部拡大断面図である。
【図１４】変形例に係るヘアーアイロンの、矯正体を側面から視た説明図であり、（Ａ）は矯正体の側面図、（Ｂ）はフィルムヒータの平面図、（Ｃ）はフィルムヒータの側面図、（Ｄ）は絶縁シートの平面図、（Ｅ）は絶縁シートの側面図、（Ｆ）はマグネットプレートの平面図、（Ｇ）はマグネットプレートの側面図、（Ｈ）は第１ばねの平面図、（Ｉ）は第１ばねの側面図である。
【発明を実施するための形態】
【００１２】
発熱体の搭載用に大スペースを要することなく、軽量で操作性の優れたヘアーアイロンを得るといった目的を、前記矯正体の矯正面を加熱するための発熱体を、薄板状の電気抵抗体を絶縁被膜で被覆したフィルムヒータで構成することによって実現した。
【実施例】
【００１３】
以下、本発明の実施例に係るヘアーアイロンについて、図面を参照して詳細に説明する。
［ヘアーアイロンの全体構成］
図１〜図１２は本発明の実施例に係るヘアーアイロンを示し、図１は一部を省略した全体斜視図、図２は分割部分を外した状態で一部を断面にした平面図、図３は側面図、図４は平面図、図５は挟持アームを開いた状態の底面図、図６は図３のＶＩ−ＶＩ矢視拡大断面図、図７は分割部分を外した状態の先端側の要部拡大平面図、図８は矯正体の説明図であり、（Ａ）は矯正体本体の正面図、（Ｂ）は同背面図、（Ｃ）は同平面図、（Ｄ）は同断面図、図９は第１ばねの説明図であり、（Ａ）は第１ばねの平面図、（Ｂ）は同背面図、図１０は第２ばねの説明図であり、（Ａ）は第２ばねの平面図、（Ｂ）は同正面図、（Ｃ）は同側面図、図１１はフィルムヒータの説明図であり、（Ａ）はフィルムヒータの平面図、（Ｂ）はフィルムヒータの一構成要素である電気抵抗体の平面図、（Ｃ）はフィルムヒータの一構成要素である絶縁被膜の平面図、図１２はフィルムヒータの説明図であり、（Ａ）はフィルムヒータの側面図、（Ｂ）はフィルムヒータの一構成要素である電気抵抗体の実装回路図である。
【００１４】
ヘアーアイロン１は、図１〜図５に示すように、電源コード３が接続されたアイロン本体５を備えている。電源コード３には、例えば、温度制御装置（不図示）、電源プラグ（不図示）が備えられている。前記温度制御装置は、アイロン本体５側に設けてもよい。
【００１５】
前記アイロン本体５は、一対の挟持アーム７，９と、一対の矯正体１１，１３と、を備えている。前記挟持アーム７，９は、例えばシーポリエステル系エンジニアリングプラスチック等の樹脂製である。この挟持アーム７，９は、基端側１５，１７が回転軸１９によって相互に回転自在に結合されている。
【００１６】
各挟持アーム７，９の中間部には、把持部２１，２３が設けられている。この把持部２１，２３は、操作者が把持しやすいように図２，図４，図５のように比較的太く形成され、基端側１５，１７とほぼ同じ太さとなっている。
【００１７】
前記把持部２１，２３には、その先端側に傾斜面で形成された力点部２５，２７が設けられている。この力点部２５，２７は、操作者が把持部２１，２３を把持したときに親指や人差し指を当てて力を加えるためのものである。前記力点部２５，２７は、図３の側面から見ると前記把持部２１，２３全体よりも若干肥大して形成され、親指や人差し指を当てやすいようになっている。
【００１８】
前記挟持アーム７，９の先端側２９，３１は、図２，図４，図５に示すように、把持部２１，２３よりも相互の合わせ方向へ細く形成されている。また前記先端側２９，３１は、図３に示すように把持部２１，２３よりも細く形成され、把持部２１，２３に対し一側へ位置ずれするように設計されている。従って、先端側２９，３１の一面３３は、把持部２１，２３の一面３５よりも一側へ突出し、両面３３，３５の間は傾斜面３７を介して連続するように設計されている。前記先端側２９，３１の他面３９は、前記一面３３に合わせて一側へずれて形成され、前記把持部２１，２３の中央側へ入り込んでいる。
【００１９】
前記先端側２９，３１の各先端部２９−１，３１−１は、図２，図４，図５に示すように、徐々に先細りとなるテーパー面を有して構成されている。従って、ヘアーアイロン１の先端部２９−１，３１−１を被施術者の毛髪のうち所要の場所に差し込む操作を、円滑かつ快適に行うことができる。
【００２０】
前記挟持アーム７は、中空状に形成されており、図３に示すように、分割線４１によりそれぞれ分割部分４３ａ，４５ａ、分割部分４３ｂ，４５ｂの合わせ構造となっている。これら分割部分４３ａ，４５ａ、分割部分４３ｂ，４５ｂは、先端側２９，３１、把持部２１，２３、基端側１５，１７において締結具である例えばビス４８，４９，５１によって相互に締結結合されている。前記分割部分４３ａ，４３ｂには、先端側２９，３１において締結用の孔４７が貫通形成されている。
【００２１】
前記中空の把持部２１，２３内には、複数の補強リブ５３が要所に配設されている。前記一方の挟持アーム７には、両アーム７，９の対向側に凸部５５が設けられ、他方の挟持アーム９には前記凸部５５が嵌合する凹部５７が設けられている。前記凸部５５は、前記凹部５７の底面に突き当たってストッパの機能を奏するようになっている。
【００２２】
こうして、前記挟持アーム７は、基端側１５，１７が相互に回転自在に結合され、中間部の把持部２１，２３の操作で先端側２９，３１が挟持動作を行う構成となっている。
【００２３】
以下の説明では、挟持アーム７，９の先端側２９，３１が対称形状となっているため、一方の先端側２９の構成について主に説明する。他方の先端側３１の構成は、特に断らない限り、前記一方の先端側２９と同様とする。
【００２４】
前記先端側２９は、図６，図７に示すように、内部に芯材８３を収容する平坦な縦壁面５９，６１及び平坦な底壁面６３を備えている。前記先端側３１には、対称形状の芯材８５が収容されるように、前記平坦な縦壁面５９，６１及び平坦な底壁面６３と同様な面が形成されている。前記先端側２９には、前記矯正体１１を他方側に対し進退自在となるように可動支持する矯正体支持穴６５が開設されている。前記矯正体支持穴６５は、前記先端側２９の長手方向にわたり矩形形状に形成されている。この矯正体支持穴６５に、前記矯正体１１が可動支持される。
【００２５】
従って、前記矯正体１１，１３は、前記挟持アーム７，９の先端側２９，３１に対向配置され、前記挟持アーム７，９の挟持動作で毛髪を加温しながら挟持矯正する構成となっている。
【００２６】
前記矯正体１１は、図６〜図１０に示すように、熱板６７と、フィルムヒータ６９と、絶縁シート７０と、マグネットプレート７１と、第１ばね７３とを備えている。前記矯正体１１は、第２ばね７５によって背面側から進出付勢されている。
【００２７】
前記熱板６７は、例えば、アルミニウム、チタン、セラミック、金、プラチナ等の軽量で熱伝導率の高い材料からなる。本実施例に係る熱板６７は、アルミニウムを基材とする。この熱板６７の表面には、ニッケルメッキ処理、チタンのメッキまたはコーティング処理、プラチナのメッキまたはコーティング処理、並びにフッ素樹脂コーティング処理を含む表面処理が施してある。前記熱板６７は、対向側から見て矩形板状に形成されている。前記熱板６７の背面側には収容部７７が一体に設けられている。前記収容部７７は、前記矯正体支持穴６５に対して可動支持され、他方側の矯正体１３に対して進退自在となっている。このような進退自在な支持は、矯正体１３においても同様である。
【００２８】
前記収容部７７の上下壁の各々には、係合片部７９，８１が設けられている。前記係合片部７９，８１が前記矯正体支持穴６５周辺の内縦壁に突き当たることによって、前記熱板６７の一定以上の突出移動を規制するようになっている。前記フィルムヒータ６９、マグネットプレート７１、第１ばね７３は、前記収容部７７内に収容されている。
【００２９】
前記矯正体１１，１３は、前記収容部７７内に、前記磁石としてのマグネットプレート７１及び該マグネットプレート７１を収容部７７に対して前記熱板６７側へ進出付勢する第１ばね７３を設けて構成されている。前記収容部７７内における前記熱板６７の背面と前記マグネットプレート７１との間には、前記背面から熱板６７へ熱伝導を行う発熱体としてのフィルムヒータ６９が設けられている。
【００３０】
前記フィルムヒータ６９は、矩形薄板状に形成され、摂氏１８０度程度まで発熱して、前記熱板６７に熱を伝えるもので、前記電源コード３に電気的に接続されている。フィルムヒータ６９の詳細構成については後述する。
【００３１】
前記絶縁シート７０は、例えばマイカ（雲母）等の電気絶縁体を矩形薄板状に形成してなる。この絶縁シート７０は、前記フィルムヒータ６９の電気絶縁性を補助するために設けられている。
【００３２】
前記マグネットプレート７１は、１５０００ガウスのネオジウム磁石等により矩形板状に形成され、両矯正体１１，１３相互でＳ極が対峙するように配置されている。前記マグネットプレート７１は、Ｎ極が対峙するように配置してもよい。前記マグネットプレート７１の磁力は、１００００ガウス以上が好ましい。
【００３３】
前記第１ばね７３は、図５、図７、及び図９に示すように、板ばねで形成されている。この第１ばね７３は、前記マグネットプレート７１を収容部７７内において熱板６７背面方向に進出付勢しフィルムヒータ６９を熱板６７の背面に密着させると共に、マグネットプレート７１を安定支持している。前記第１ばね７３のばね定数は、前記マグネットプレート７１がＳ極を対峙させて配置されたとき、マグネットプレート７１相互の磁性による反力で撓まない程度に設定されている。
【００３４】
前記第２ばね７５は、前記収容部７７の後端に支持されている。この第２ばね７５は、前記矯正体１１，１３を進出付勢して矯正体１１，１３相互による挟持状態を弾性的に調節する役割を果たす。前記第２ばね７５は、図７及び図１０に示すように、板ばねで形成されている。この第２ばね７５は、両端部７５ａ，７５ｂが傾斜設定され、端縁が前記分割部分４３ａ側の突起部に図７左右方向（長手方向）で係合している。
【００３５】
前記矯正体１１，１３の熱板６７は、図８（Ａ）〜（Ｄ）に示すように、前面に相互に対向する平坦な矩形形状の矯正面８７を有している。前記収容部７７は、図８（Ｄ）に示すように、前記熱板６７の平坦な背面８９に沿って中空に形成され、その長手方向の両端部は開放されている。
【００３６】
従って、前記収容部７７の端部から、第１ばね７３、フィルムヒータ６９、及びマグネットプレート７１を、同収容部７７内の中空空間に挿入できるようになっている。前記収容部７７の後壁９１には、開口部９３が設けられている。前記後壁９１の上下縁には、前記第２ばね７５をスライド支持するための溝部９５が設けられている。
【００３７】
前記第１ばね７３の中央には、図９に示すように、湾曲部９７が設けられている。この第１ばね７３の一端には、屈曲部９９が設けられ、他端には鍵部１０１が設けられている。この屈曲部９９と鍵部１０１とにより前記マグネットプレート７１を背面側から支持している。なお、前記湾曲部９７に代えて、図１４（Ｉ）に示すように、折曲げ部７３ａを設ける構成を採用してもよい。
【００３８】
前記第２ばね７５の両端部７５ａ，７５ｂは、図１０に示すように、平坦な中央部１０３の両側に傾斜形成されている。中央部１０３の幅方向両側には、係合部１０５が形成されている。前記両端部７５ａ，７５ｂの端縁には、前記分割部分４３ａ側の突起部に前述のように係合するための係合部１０７が設けられている。
［フィルムヒータの構成］
前記フィルムヒータ６９は、図１１（Ａ）〜（Ｃ）に示すように、薄板状の電気抵抗体１１１を絶縁被膜１１３で被覆して構成されている。
【００３９】
前記電気抵抗体１１１は、図１１（Ａ），（Ｂ）に示すように、一対の端子部１１５ａ，１１５ｂと、所定の形状パターンを有する抵抗部１１７と、前記端子部１１５ａ，１１５ｂと前記抵抗部１１７の間を電気的に接続する導通部１１９と、を備えている。この電気抵抗体１１１は、一方の端子部１１５ａから他方の端子部１１５ｂに至る導線部分が略Ｕ字形状に曲げ形成されている。
【００４０】
前記電気抵抗体１１１は、例えばステンレス等の金属の薄板（板厚が２０μｍ程度）から所定形状の抵抗パターンを切り出して成形される。この切り出し成形は、例えば、プレス加工又はエッチング加工等によって行うことができる。図１１（Ｂ）の例では、前記抵抗部１１７における抵抗パターンは、細い線幅の導線がつづら折り状に連なって形成されている。こうした抵抗パターンの形状は、前記抵抗部１１７の抵抗値を所定範囲内に収めることを考慮して適宜設定すればよい。図１１（Ｂ）の例では、一対の端子部１１５ａ，１１５ｂ間における抵抗値は、例えば５０オーム等の所定値に設定されている。
【００４１】
上述のように構成された前記電気抵抗体１１１は、図１１（Ｃ）に示すように、前記端子部１１５ａ，１１５ｂ以外の部分が絶縁被膜（膜厚が２０μｍ程度）１１３によって覆われている。前記絶縁被膜１１３としては、高い電気絶縁性能及び耐熱性を併せ持っている等の観点から、例えばポリイミド樹脂を好適に用いることができる。前記電気抵抗体１１１をポリイミド樹脂で被覆するに際しては、例えば、インサート成形による樹脂モールドを採用すればよい。
【００４２】
前記抵抗部１１７は、前記端子部１１５ａ，１１５ｂ間に例えば１００Ｖの交流電圧が印加されたとき、摂氏１８０度程度まで発熱する発熱領域として機能する。この抵抗部１１７の長さ及び幅方向の寸法は、図１１（Ａ）に示すように、前記矯正面８７の寸法内に収容されるように設計されている。
【００４３】
前記フィルムヒータ６９は、図１２（Ａ）に示すように、一対の電気抵抗体１１１−１，１１１−２を所定の間隔を空けて並列配置した状態でポリイミドの絶縁被膜１１３によって樹脂モールドして構成されている。従って、このフィルムヒータ６９は、全体としての厚みが１００μｍ程度と非常に薄くなっている。前記フィルムヒータ６９は、図１２（Ｂ）に示すように、これら一対の電気抵抗体１１１−１，１１１−２を電気的に並列接続した抵抗回路１２１を備えている。
【００４４】
ただし、本発明は、上記実施例に限定されない。例えば、ひとつの電気抵抗体１１１によって抵抗回路を構成する態様、一対を超える数の電気抵抗体１１１を電気的に並列接続して抵抗回路を構成する態様、並びに一対またはそれ以上の数の電気抵抗体１１１を電気的に直列接続して抵抗回路を構成する態様も、本発明に係る技術的範囲の射程に包含される。
［フィルムヒータの実装によってもたらされる実施例の作用効果］
本実施例では、矯正体１１，１３の矯正面８７を加熱するための発熱体として、薄板状の電気抵抗体１１１を絶縁被膜１１３で被覆したフィルムヒータ６９を採用したため、発熱体の搭載用に大スペースを要することなく、設定温度に対する追従性及び軽量で操作性の優れたヘアーアイロンを得ることができる。
【００４５】
また、本実施例では、金属の薄板から所定形状の抵抗パターンを切り出して前記電気抵抗体１１１を構成し、しかも、前記金属として優れた汎用性を有するステンレスを採用したため、歩留まりよく高精度かつ低コストの電気抵抗体１１１を大量に得ることができる。
【００４６】
さらに、本実施例では、前記電気抵抗体１１１の絶縁皮膜１１３としてポリイミド樹脂を採用したため、高い電気絶縁性能及び耐熱性を併せ持った信頼性の高い電気抵抗体１１１を得ることができる。
【００４７】
従って、歩留まりよく高精度かつ低コストの、高い電気絶縁性能及び耐熱性を併せ持った信頼性の高い電気抵抗体１１１を用いてフィルムヒータ６９を構成することが可能となる結果、信頼性の高い低コストのヘアーアイロンを得ることができる。
【００４８】
そして、本実施例では、前記電気抵抗体１１１を複数並列接続した抵抗回路１２１を備える構成を採用したため、フィルムヒータ６９の表面温度を安定化することができる。このため、設定温度に対する追従性及び安定性に優れた、きわめて使い勝手のよいヘアーアイロンを得ることができる。
［ヘアーアイロンの組立て手順］
ヘアーアイロン１を組立てるに際しては、図９のようにマグネットプレート７１を屈曲部９９と鍵部１０１とにより前記第１ばね７３に予め支持させる。次に、マグネットプレート７１に対しフィルムヒータ６９を合わせ、これら第１ばね７３、マグネットプレート７１、及びフィルムヒータ６９をアッセンブリとして前記収容部７７に収容させる。このとき、前記アッセンブリを収容部７７の端部開口から容易に差し込み収容することができる。
【００４９】
前記アッセンブリを収容部７７に収容させた後は、第１ばね７３の湾曲部９７が撓んで反力を発生し、フィルムヒータ６９を熱板６７の背面８９に密着させるため、第１ばね７３、マグネットプレート７１、フィルムヒータ６９のアッセンブリを、収容部７７内に固定支持させることができ、組立て時の取扱いが容易になる。
【００５０】
次に、前記矯正体１１，１３の後壁９１の溝部９５に、前記第２ばね７５の係合部１０５を係合させ、第２ばね７５の中央部１０３を矯正体１１，１３の後壁９１に取り付ける。この取り付けは、後壁９１の端部から差し込んで行うが、後壁９１の中央部において、第２ばね７５を中央部１０３に対向させ、こじり気味に嵌め込むこともできる。
【００５１】
前記第２ばね７５が後壁９１に取り付けられると、中央部１０３が前記マグネットプレート７１の磁力により引かれ、第２ばね７５の後壁９１に対する位置決めを行うことができる。従って、第２ばね７５を後壁９１に対し自由に移動させ、移動位置で前記磁力により位置決めることができ、第２ばね７５の位置決めを極めて容易に行うことができる。
［ヘアーアイロンの使用方法］
次に、毛髪に癖付けを行う際の前記ヘアーアイロン１の使用方法について説明する。
【００５２】
前記ヘアーアイロン１の使用に先立って、毛髪に第１剤、すなわちチオグリコール酸やシステイン等のメルカプト化合物（還元剤）を主剤とする水溶液にアンモニア、モノエタノールアミン、トリエタノールアミン等の塩基性物質を加えてｐＨ８〜１０に調整した液剤を塗布する。
【００５３】
この第１剤の塗布によって、毛髪中のケラチン蛋白質に含まれているシスチンのジスルフィド結合が還元されてメルカプト基として切断される。その後、毛髪を水洗し、順次ドライヤ等で乾燥させた後、加熱したヘアーアイロン１の矯正処理により毛髪に対しカールの癖付けを行う。
【００５４】
具体的には、温度制御装置によってフィルムヒータ６９の温度制御が行われ、摂氏１２０度〜１８０度のなかから設定された温度にフィルムヒータ６９が加熱制御される。挟持アーム７，９の把持部２１，２３を把持し、力点部２５，２７に親指と人差し指を当てるなどして力を加え、矯正体１１，１３の矯正面８７の間に毛髪を挟み込む。これにより、設定温度に従って加温された一対の矯正面８７の間に狭持された毛髪に対して急激な熱ストレスが与えられる。
【００５５】
このとき、マグネットプレート７１がＳ極同士を対峙させて対面しているため、前記狭持アーム７，９の狭持動作により両矯正体１１，１３が近づくと、マグネットプレート７１が相互に反発し合い、同時に第２ばね７５が反発に応じて撓むことによってマグネットプレート７１は互いに平行な位置関係となる。これにより、矯正体１１，１３の姿勢が修正され、一対の矯正面８７間が平行な位置関係となる。
【００５６】
次いで、前記平行な位置関係を維持して挟持アーム７，９を毛先へと滑らせながら、狭持アーム７の方を内側にしてヘアーアイロン１を徐々に回転させる。これにより、毛髪に対して熱ストレスを連続的に与えながら人工的なカールの癖付けを確実に行うことができる。癖毛を伸ばしたり人工的なカールを直す場合は、ヘアーアイロン１の回転を行わずに、狭持アーム７，９を毛先へと滑らせればよい。
【００５７】
仕上げに、臭素酸ナトリウム、過酸化水素等の酸化剤の水溶液からなる第２剤を毛髪に塗布する。これにより、メルカプト基を酸化して毛髪に新たなジスルフィド結合を生じさせ、毛髪のカール癖等を確実に定着させることができる。
［矯正体の変形例］
なお、一対の矯正体１１，１３における各矯正面の形状に、図１３，図１４に示すような変形を加えたものを採用してもよい。
【００５８】
図１３は、変形例に係るヘアーアイロンの、図６に対応する要部拡大断面図、図１４は、変形例に係るヘアーアイロンの、矯正体を側面から視た説明図であり、（Ａ）は矯正体の側面図、（Ｂ）はフィルムヒータの平面図、（Ｃ）はフィルムヒータの側面図、（Ｄ）は絶縁シートの平面図、（Ｅ）は絶縁シートの側面図、（Ｆ）はマグネットプレートの平面図、（Ｇ）はマグネットプレートの側面図、（Ｈ）は第１ばねの平面図、（Ｉ）は第１ばねの側面図である。
【００５９】
この変形例に係るヘアーアイロンと、前記実施例に係るヘアーアイロンと、の主な相違点は、一対の矯正体１１，１３における各矯正面の形状である。従って、前記相違点以外の共通な構成要素間に共通の符号を付し、その重複した説明を省略する。なお、図１３中において、収容部７７周辺に設けられる第２ばね７５や芯材８３等の構成部材など、変形例の説明に関与しない部材については、その図示を省略してある。
【００６０】
図１３，図１４（Ａ）に示すように、一対の矯正体１１，１３における各矯正面８７は、幅方向（紙面上下方向）中央に存する平坦面の両側に、第１矯正面８７−１および第２矯正面８７−２を備えている。
【００６１】
前記第１矯正面８７−１は、図１３，図１４（Ａ）に示すように、曲率の小さい曲げ面とされている。この第１矯正面８７−１は、一対の第１矯正面８７−１の間に毛髪を挟持して両面から給熱することによって、毛髪にカールの癖付けを行う際に用いられる。
【００６２】
これに対し、前記第２矯正面８７−２は、図１３，図１４（Ａ）に示すように、前記第１矯正面８７−１と比べて曲率の大きい曲げ面とされている。この第２矯正面８７−２は、一対の第２矯正面８７−２の間に毛髪を挟持していずれか一方の面から給熱することによって、毛髪にストレートの癖付けを行う際に用いられる。
【００６３】
前記一対の矯正体１１，１３の収容部７７内には、図１４（Ｂ）〜（Ｉ）に示すように、フィルムヒータ６９、絶縁シート７０、マグネットプレート７１、及び第１ばね７３が、矯正面８７に近い順序で相互に密着するように設けられている。
【００６４】
上述のように構成された第１，第２矯正面８７−１，８７−２を備えた変形例に係るヘアーアイロンによれば、カールの癖付けとストレートの癖付けの双方に対応可能な、機能性に優れたヘアーアイロンを得ることができる。
［その他］
本発明は、上述した実施例に限られるものではなく、請求の範囲及び明細書全体から読み取れる発明の要旨、または技術思想に反しない範囲で適宜変更可能であり、そのような変更を伴うヘアーアイロンもまた、本発明における技術的範囲の射程に包含されるものである。
【００６５】
すなわち、例えば、矯正体１１，１３の一方又は双方を、先端側２９，３１に対し可動ではない固定式にしてもよい。マグネットプレート７１や第１ばね７３は省略してもよい。
【００６６】
また、本実施例では、毛髪に対してカールの癖付けを行う場合について説明したが、例えば、ストレートパーマ等の癖付けを行ってもよい。この場合、保持手段としては、ストレートパーマ用のものを用いればよい。
【符号の説明】
【００６７】
１  ヘアーアイロン
７，９  挟持アーム
１１，１３  矯正体
１５，１７  基端側
２１，２３  把持部
２９，３１  先端側
６９  フィルムヒータ（発熱体）
７０  絶縁シート
７１  マグネットプレート
７３  第１ばね
７５  第２ばね
７７  収容部
８７  矯正面
８７−１，８７−２  矯正面
８９  背面
１１１  電気抵抗体
１１３  絶縁被膜（ポリイミド樹脂）
１１５ａ，１１５ｂ  一対の端子部
１１７  抵抗部
１１９  導通部
１２１  抵抗回路
【図１】
2011030946.tif 000003
【図２】
2011030946.tif 000004
【図３】
2011030946.tif 000005
【図４】
2011030946.tif 000006
【図５】
2011030946.tif 000007
【図６】
2011030946.tif 000008
【図７】
2011030946.tif 000009
【図８】
2011030946.tif 000010
【図９】
2011030946.tif 000011
【図１０】
2011030946.tif 000012
【図１１】
2011030946.tif 000013
【図１２】
2011030946.tif 000014
【図１３】
2011030946.tif 000015
【図１４】
2011030946.tif 000016